(57)【要約】      （修正有）【課題】跨ぐことなく簡単に着脱することができるようにした着脱簡単スカート、特に学生用のプリーツスカートを提供する。【解決手段】前身頃１３と後身頃１４とは、左右何れか一方の端同士がつながった連続端であり、他方の端同士は、分離している分離端２２である。両者の分離端２２にはスライドファスナ２４が設けられている。スライドファスナ２４を係合することで、前身頃１３と後身頃１４とが環状となった身頃が形成され、他方、スライドファスナ２４を外すことで、前身頃１３と後身頃１４とが１枚の布状に展開される。これによって、着用者がスカート着脱する際には、スカートを跨ぐ必要がない。【選択図】図１
0003191995.tif 000002
【実用新案登録請求の範囲】
【請求項１】
前身頃と後身頃とを備えたスカートにおいて、
前記前身頃の左右何れか一方の端と前記後身頃の左右何れか一方の端とは、互いにつながった連続端であることにより、前記前身頃と前記後身頃とが連続しており、
前記前身頃の左右何れか他方の端と前記後身頃の左右何れか他方の端とは、互いに分離している分離端であると共に、両分離端に互いに係脱するスライドファスナが設けられ、
前記スライドファスナを係合することで、前身頃と後身頃とが環状となった身頃が形成され、
前記スライドファスナを外すことで、前身頃と後身頃とが１枚の布状に展開され、
着用者がスカートを脱ぐ際に、前記スライドファスナを外すことにより、スカートを跨ぐことなく１枚の布状に展開して身体から外すことができ、
着用者がスカートを着る際に、１枚の布状に展開したスカートを前記身体に巻いて前記スライドファスナを係合することにより、スカートを跨ぐことなく着用することできることを特徴とする着脱簡単スカート。
【請求項２】
山折り目線と谷折り目線とによって規定された表襞と裏襞とを備えたプリーツが、前記前身頃と前記後身頃とに複数本形成された学生用のプリーツスカートであり、
前記スライドファスナは係脱する一対のファスナ半部を備え、これらの両ファスナ半部は前記前身頃と前記後身頃の前記プリーツの前記谷折り目線の位置に設けられたことを特徴とする請求項１記載の着脱簡単スカート。
【請求項３】
前記後身頃の前記分離端は、裏襞の谷折り目線が最端辺に位置し、この最端辺に沿って一方の前記ファスナ半部が縫着され、
前記前身頃の前記分離端は、最端辺には前記表襞の端の前記山折り目線が位置し、この表襞の裏側に折り返し裏襞が重ねて設けられ、この折り返し裏襞の端辺に沿って他方の前記ファスナ半部が縫着されており、
前記身頃はその上端にウエストベルトを備え、
前記ウエストベルトの両端には、互いに係合するフックと受け金具とを備えたウエストフックが設けられ、
ウエストベルトの一端は、前記前身頃の最端辺の前記山折り目線と略同じ位置に配置されており、前記フックが前記ファスナ半部よりも所定寸法外側の位置に配置されており、
前記ウエストベルトの他端は、前記後身頃の最端辺よりも突出した摘まみ片を備え、前記受け金具が前記ファスナ半部よりも所定寸法内側の位置に配置されていることを特徴とする請求項２記載の着脱簡単スカート。
【考案の詳細な説明】
【技術分野】
【０００１】
本考案は、簡単に着脱することができる着脱簡単スカートに関する。
【背景技術】
【０００２】
プリーツスカートは、スカートに複数の折り目線によって規定される複数の襞を形成することで、機能性と優雅なシルエットとの両立を図ったものとして知られており、女子学生の制服などにも多数採用されている。そして、そのウエストから下方に20cm程度の範囲に渡ってスライドファスナが取り付けられており、スライドファスナを開くことでスカートの着脱を容易にするように構成されている。
【０００３】
ところが、スライドファスナを降ろして開いた場合でも、スカートの環状の形態は維持されるため、スカートの着脱に際しては、スカートを足下まで降ろしてスカートを跨ぐようにする必要がある。そのため、体育館などで人前でスカートを着脱を行なわざるを得ない場合などでは、その動作に抵抗感を感じる場合もある。また、更衣室がある場合でも、土足の更衣室では、着脱に際してスカートが床に触れてしまって、スカートが汚れてしまう場合もある。
【０００４】
他方、プリーツスカートにスライドファスナを設ける例としては、上述の一般的に多用されているようにスカートの上部にスライドファスナを設けるものや、特許文献１に示すように、裂かれたような形態に形成された裂かれ形態部位にスライドファスナを設ける例が提案されているに止まる。
【先行技術文献】
【特許文献】
【０００５】
【特許文献１】実開平２−１１８７０９号公報
【考案の概要】
【考案が解決しようとする課題】
【０００６】
本考案は、プリーツスカートを跨ぐことなく簡単に着脱することができるようにすることを課題とする。
【課題を解決するための手段】
【０００７】
本考案は、前身頃と後身頃とを備えたスカート、特に学生用のプリーツスカートにおいて、前記前身頃の左右何れか一方の端と前記後身頃の左右何れか一方の端とは、互いにつながった連続端であることにより、前記前身頃と前記後身頃とが連続しており、前記前身頃の左右何れか他方の端と前記後身頃の左右何れか他方の端とは、互いに分離している分離端であると共に、両分離端に互いに係脱するスライドファスナが設けられた構造を提案する。このスカートにあっては、前記スライドファスナを係合することで、前身頃と後身頃とが環状となった身頃が形成され、他方、前記スライドファスナを外すことで、前身頃と後身頃とが１枚の布状に展開される。これによって、着用者がスカートを脱ぐ際には、前記スライドファスナを外すことにより、スカートを跨ぐことなく１枚の布状に展開して身体から外すことができる。また、着用者がスカートを着る際には、１枚の布状に展開したスカートを前記身体に巻いて前記スライドファスナを係合することにより、スカートを跨ぐことなく着用することできる。
【考案の効果】
【０００８】
このように、本考案は、跨ぐことなく簡単に着脱することができるようにしたスカート、特に学生用のプリーツスカートを提供することができたものである。
【図面の簡単な説明】
【０００９】
【図１】本考案の実施の形態に係るプリーツスカート側面図。
【図２】同プリーツスカート展開した状態の裏面側からの説明図。
【考案を実施するための形態】
【００１０】
この実施の形態に係るプリーツスカートは、着用者のウエスト回りに配置されるウエストベルト１１と、ウエストベルト１１に縫着されて下方に伸びる身頃１２とを備える。
【００１１】
身頃１２は、前身頃１３と後身頃１４とを備え、それぞれには複数のプリーツ１５が形成されている。プリーツ１５は、山折り目線１６と谷折り目線１７とによって規定され、山折り目線１６と谷折り目線１７との間に表襞１８と裏襞１９とが形成される。表襞１８はプリーツ１５が開いてない状態で外部から見える襞であり、山折り目線１６は常時には表襞１８の後ろに隠れている襞である。
前身頃１３と後身頃１４とは連続した１枚の布で形成することもできるが、この例では前身頃１３と後身頃１４とを別々の布で形成し、これらの一方の端（例えば着用者の右側の端）を連続端２１として、連続端２１同士を縫着することで、連続した身頃１２としている。
【００１２】
他方、前身頃１３と後身頃１４とのそれぞれの他方の端（例えば着用者の左側の端）は分離端２２としている。この分離端２２は、その上下の略全長に渡って、スライドファスナ２４の一対のファスナ半部２５が縫着されている。スライドファスナ２４は周知のものでよく、スライダー２６を上下させることによって係脱することができるもので、ファスナ半部２５を上げた係合状態では前身頃１３と後身頃１４の分離端２２同士が繋がって環状の身頃１２となり、ファスナ半部２５を降ろして外した状態では前身頃１３と後身頃１４の分離端２２同士が分離して身頃１２は１枚の展開した布状となる。スライドファスナ２４は、身頃１２の下端の裾２０まで形成してもよいが、この例では、裾２０の裾折り返し２８の少し上までで止めており、下端はスライドファスナ２４のないスリット２９となっており開閉が楽なようにされている。
【００１３】
スライドファスナ２４は、前身頃１３と後身頃１４とのそれぞれの端辺における谷折り目線１７の位置に設けられている。これによって、スライドファスナ２４を閉じた状態では、プリーツ１５の内側に隠れて外部からはスライドファスナ２４が見えなくなる。より詳しくは、一方の分離端２２（この例では後身頃１４の分離端２２）は、裏襞１９の谷折り目線１７が最端辺に位置するため、その最端辺に沿ってスライドファスナ２４のファスナ半部２５が縫着されている。他方の分離端２２（この例では前身頃１３の分離端２２）は、最端辺には表襞１８が位置するため、表襞１８の裏側に折り返し裏襞２３を重ねて設け、折り返し裏襞２３の端辺に沿ってスライドファスナ２４のファスナ半部２５が縫着されている。なお、ポケット３０は前身頃１３の分離端２２近くの谷折り目線１７の一部に開口するように設けられているが、設けずに実施することもでき、またその位置や大きさも適宜変更し得る。
【００１４】
ウエストベルト１１は、その両端にウエストフック３１が設けられている。この例では、ウエストフック３１は、フック３２と、フック３２が係止される受け金具３３とから構成されている。
このウエストベルト１１の一端は、一方の身頃（この例では前身頃１３）の最端辺（詳しくは折り返し裏襞２３の最端辺）と略同じ位置に配置されており、フック３２は折り返し裏襞２３の上方位置におけるウエストベルト１１の端部に取り付けられている。従って、フック３２はファスナ半部２５よりも所定長さだけ端辺寄り（外側寄り）の位置に取り付けられていることになる。
【００１５】
他方、ウエストベルト１１の他端には、他方の身頃（この例では後身頃１４）の最端辺位置から突出した摘まみ片２７が形成されている。そして、上述のフック３２の取り付け位置の関係から、受け金具３３はファスナ半部２５よりも所定長さだけ内側寄りの位置に取り付けられる。なお、ウエストベルト１１には、上述のウエストフック３１の他に、ボタンとボタンホールなどの他の係止具を設けることもできる。例えば図示は省略するが、ボタンとボタンホールを、摘まみ片２７と、これに対応する前身頃１３側のウエストベルト１１とに設けることができる。
【００１６】
以上、このプリーツスカートにあっては、スライドファスナ２４を全開してフック３２と受け金具３３とを外すことによって、前身頃１３と後身頃１４とのそれぞれの分離端２２同士が完全に分離して、身頃１２が１枚の布状に展開する。従って、プリーツスカートの着脱に際しては、着用者ウエストに巻き付けたり開いたりするだけでよく、環状の状態のプリーツスカートを跨ぐ必要がない。なお、ファスナ半部２５を途中まで降ろした状態に止めれば、通常のスカートのような着脱方法を採ることも可能である。
【符号の説明】
【００１７】
１０  プリーツスカート
１１  ウエストベルト
１２  身頃
１３  前身頃
１４  後身頃
１５  プリーツ
１６  山折り目線
１７  谷折り目線
１８  表襞
１９  裏襞
２０  裾
２１  連続端
２２  分離端
２３  折り返し裏襞
２４  スライドファスナ
２５  ファスナ半部
２６  スライダー
２７  摘まみ片
２８  裾折り返し
２９  スリット
３０  ポケット
３１  ウエストフック
３２  フック
３３  受け金具
【図１】
0003191995.tif 000003
【図２】
0003191995.tif 000004